(57)【要約】【課題】撮影した画像のピントの確認および良否判定を容易にかつ的確に行うことができる撮像装置および撮像装置の画像表示方法を提供する。【解決手段】一または複数のレンズを有する光学系と、前記光学系が結像した被写体像を用いてデジタルの画像データを生成する撮像素子とを有する撮像手段と、前記画像データに対応する画像をそれぞれ表示可能な第１および第２表示手段と、前記撮像手段が撮影する領域内の所定の位置で焦点調整動作を行う焦点調整手段と、前記撮像手段が画像を撮影した後でユーザによる撮影画像の確認動作を補助するための表示を行う確認モードが選択された場合、前記第１表示手段に前記撮影画像の全域を表示させる一方、前記第２表示手段に前記焦点調整手段が焦点調整動作を行った位置とこの位置の周辺とを含む領域を拡大した拡大画像を表示させる制御を行う制御手段と、を備える。【選択図】図１
2010258904.tif 000002
【特許請求の範囲】
【請求項１】
一または複数のレンズを有する光学系と、前記光学系が結像した被写体像を用いてデジタルの画像データを生成する撮像素子とを有する撮像手段と、
前記画像データに対応する画像をそれぞれ表示可能な第１および第２表示手段と、
前記撮像手段が撮影する領域内の所定の位置で焦点調整動作を行う焦点調整手段と、
前記撮像手段が画像を撮影した後でユーザによる撮影画像の確認動作を補助するための表示を行う確認モードが選択された場合、前記第１表示手段に前記撮影画像の全域を表示させる一方、前記第２表示手段に前記焦点調整手段が焦点調整動作を行った位置とこの位置の周辺とを含む領域を拡大した拡大画像を表示させる制御を行う制御手段と、
を備えたことを特徴とする撮像装置。
【請求項２】
前記制御手段は、
前記第１表示手段に前記撮影画像を表示させて所定時間経過した後、前記第１表示手段に前記撮像手段が撮像している画像をライブビュー表示させ、
前記第２表示手段に前記拡大画像を表示させて前記所定時間経過した後、前記撮影画像の全域を表示させる制御を行うことを特徴とする請求項１に記載の撮像装置。
【請求項３】
前記制御手段は、
前記第１表示手段に前記撮影画像を表示させるとともに前記第２表示手段に前記拡大画像を表示させた状態で所定時間経過する前に当該撮像装置に対する所定の操作を検出した場合、前記第１表示手段に前記撮像手段が撮像している画像をライブビュー表示させ、前記第２表示手段に前記撮影画像の全域を表示させる制御を行うことを特徴とする請求項１または２に記載の撮像装置。
【請求項４】
前記第１表示手段に重ねて設けられ、前記焦点調整位置が入力されるタッチパネルを備えたことを特徴とする請求項１〜３のいずれか一項に記載の撮像装置。
【請求項５】
一または複数のレンズを有する光学系と、前記光学系が結像した被写体像を用いてデジタルの画像データを生成する撮像素子とを有する撮像手段と、前記画像データに対応する画像をそれぞれ表示可能な第１および第２表示手段と、前記撮像手段が生成した画像データを記憶する記憶手段とを備えた撮像装置の画像表示方法であって、
前記撮像手段が撮影する領域内の所定の位置で焦点調整動作を行う焦点調整ステップと、
前記撮像手段が画像を撮影した後でユーザによる撮影画像の確認動作を補助するための表示を行う確認モードが選択された場合、前記記憶手段から前記撮影画像を読み出し、前記第１表示手段によって前記撮影画像の全域を表示する一方、前記第２表示手段によって前記焦点調整動作を行った位置とこの位置の周辺とを含む領域を拡大した拡大画像を表示する表示ステップと、
を含むことを特徴とする撮像装置の画像表示方法。
【発明の詳細な説明】
【技術分野】
【０００１】
本発明は、所定の視野領域を撮影してデジタルの画像データを生成する撮像装置および撮像装置の画像表示方法に関する。
【背景技術】
【０００２】
従来、デジタルカメラ等の撮像装置においては、オートフォーカス（ＡＦ）動作後、ピントの確認を行うために、フォーカス位置を拡大した拡大画像と撮影領域の全体を示す全体画像とを一つの画面上で表示する技術が知られている（例えば、特許文献１を参照）。また、ＡＦ動作後、ピント状態を確認するために、拡大画像と全体画像とを所定の操作によって入れ替えながら表示する技術も知られている（例えば、特許文献２を参照）。
【先行技術文献】
【特許文献】
【０００３】
【特許文献１】特開平１１−１９６３０１号公報
【特許文献２】特開２００３−１２５２６９号公報
【発明の概要】
【発明が解決しようとする課題】
【０００４】
しかしながら、上述した特許文献１に記載の技術では、一つの画面上で２つの画像を表示するため、拡大画像が見にくい場合もあり、必ずしもピントの確認が容易になるとは限らなかった。
【０００５】
また、上述した特許文献２に記載の技術では、ピントの確認をしたい領域がモニタ全体に表示されるため、ピントの確認は容易となるものの、拡大画像と全体画像を見比べながらの良否判定を行うことができなかった。
【０００６】
本発明は、上記に鑑みてなされたものであって、撮影した画像のピントの確認および良否判定を容易にかつ的確に行うことができる撮像装置および撮像装置の画像表示方法を提供することを目的とする。
【課題を解決するための手段】
【０００７】
上述した課題を解決し、目的を達成するために、本発明に係る撮像装置は、一または複数のレンズを有する光学系と、前記光学系が結像した被写体像を用いてデジタルの画像データを生成する撮像素子とを有する撮像手段と、前記画像データに対応する画像をそれぞれ表示可能な第１および第２表示手段と、前記撮像手段が撮影する領域内の所定の位置で焦点調整動作を行う焦点調整手段と、前記撮像手段が画像を撮影した後でユーザによる撮影画像の確認動作を補助するための表示を行う確認モードが選択された場合、前記第１表示手段に前記撮影画像の全域を表示させる一方、前記第２表示手段に前記焦点調整手段が焦点調整動作を行った位置とこの位置の周辺とを含む領域を拡大した拡大画像を表示させる制御を行う制御手段と、を備えたことを特徴とする。
【０００８】
また、本発明に係る撮像装置は、上記発明において、前記制御手段は、前記第１表示手段に前記撮影画像を表示させて所定時間経過した後、前記第１表示手段に前記撮像手段が撮像している画像をライブビュー表示させ、前記第２表示手段に前記拡大画像を表示させて前記所定時間経過した後、前記撮影画像の全域を表示させる制御を行うことを特徴とする。
【０００９】
また、本発明に係る撮像装置は、上記発明において、前記制御手段は、前記第１表示手段に前記撮影画像を表示させるとともに前記第２表示手段に前記拡大画像を表示させた状態で所定時間経過する前に当該撮像装置に対する所定の操作を検出した場合、前記第１表示手段に前記撮像手段が撮像している画像をライブビュー表示させ、前記第２表示手段に前記撮影画像の全域を表示させる制御を行うことを特徴とする。
【００１０】
また、本発明に係る撮像装置は、上記発明において、前記第１表示手段に重ねて設けられ、前記焦点調整位置が入力されるタッチパネルを備えたことを特徴とする。
【００１１】
また、本発明に係る撮像装置の画像表示方法は、一または複数のレンズを有する光学系と、前記光学系が結像した被写体像を用いてデジタルの画像データを生成する撮像素子とを有する撮像手段と、前記画像データに対応する画像をそれぞれ表示可能な第１および第２表示手段と、前記撮像手段が生成した画像データを記憶する記憶手段とを備えた撮像装置の画像表示方法であって、前記撮像手段が撮影する領域内の所定の位置で焦点調整動作を行う焦点調整ステップと、前記撮像手段が画像を撮影した後でユーザによる撮影画像の確認動作を補助するための表示を行う確認モードが選択された場合、前記記憶手段から前記撮影画像を読み出し、前記第１表示手段によって前記撮影画像の全域を表示する一方、前記第２表示手段によって前記焦点調整動作を行った位置とこの位置の周辺とを含む領域を拡大した拡大画像を表示する表示ステップと、を含むことを特徴とする。
【発明の効果】
【００１２】
本発明によれば、２つの表示手段を備え、一方の表示手段に撮影画像の全体を表示させ、他方の表示手段に焦点調整動作を行った位置とこの位置の周辺とを含む領域を拡大した拡大画像を表示させるため、撮影画像と拡大画像とを見比べることができる。したがって、撮影画像のピント確認および良否判定を容易にかつ的確に行うことが可能となる。
【図面の簡単な説明】
【００１３】
【図１】図１は、本発明の一実施の形態に係る撮像装置の構成を示すブロック図である。
【図２】図２は、本発明の一実施の形態に係る撮像装置の外観構成を示す斜視図である。
【図３】図３は、本発明の一実施の形態に係る撮像装置の画像表示方法の処理の概要を示すフローチャートである。
【図４】図４は、本発明の一実施の形態に係る撮像装置の起動した後の第１表示部および第２表示部における画像の表示例を示す図である。
【図５】図５は、本発明の一実施の形態に係る撮像装置が撮影によって画像データを取得した後の第１表示部および第２表示部における画像の表示例を示す図である。
【図６】図６は、本発明の一実施の形態に係る撮像装置が、図５に示す状態から所定時間経過した後の第１表示部および第２表示部における画像の表示例を示す図である。
【発明を実施するための形態】
【００１４】
以下、添付図面を参照して、本発明を実施するための形態（以下、「実施の形態」という）を説明する。
【００１５】
図１は、本発明の一実施の形態に係る撮像装置の構成を示すブロック図である。また、図２は、本実施の形態に係る撮像装置の外観構成を示す斜視図である。これらの図に示す撮像装置１は、一つ以上のレンズ要素から構成される光学系２と、光学系２の一部または全部のレンズを光軸に沿って駆動するアクチュエータを有するレンズ駆動機構３と、レンズ駆動機構３のアクチュエータへ駆動信号を出力するレンズ駆動回路４と、光学系２が集光した光を結像して電気信号に変換するＣＣＤ（Charge Coupled Device）またはＣＭＯＳ（Complementary Metal Oxide Semiconductor）等の撮像素子５と、撮像素子５が出力する電気信号をデジタル信号に変換して画像データを生成する撮像素子インターフェース（ＩＦ）回路６と、ＣＰＵ（Central Processing Unit）や画像処理回路から構成され、撮像素子ＩＦ回路６が生成した画像データに圧縮処理等を施すカメラコントローラ７と、カメラコントローラ７が処理を施した画像データを記憶するメモリカード８と、一時的に各種データを記憶するために設けられるＳＤＲＡＭ（Synchronous Dynamic Random Access Memory）９と、カメラコントローラ７が実行する各種プログラムを記憶するフラッシュＲＯＭ（Read Only Memory）１０と、ＵＳＢ（Universal Serial Bus）ポート１１を介してパーソナルコンピュータ等の外部機器と接続されるＵＳＢデバイスコントローラ１２と、電源スイッチ１３ａや撮影動作を指示するレリーズボタン１３ｂ等を有するカメラ操作スイッチ１３と、電源を供給するバッテリー１４と、バッテリー１４の出力を所定の電圧に変換して撮像装置１内の各回路の電源ラインへ供給するＤＣ／ＤＣコンバータである電源回路１５と、を備える。
【００１６】
また、撮像装置１は、画像データに含まれる画像をそれぞれ表示する第１表示部１６および第２表示部１７を備える。第１表示部１６は第１表示回路１８によって駆動され、第２表示部１７は第２表示回路１９によって駆動される。第１表示部１６および第２表示部１７は、液晶ディスプレイ、有機ＥＬ（Electro-Luminescence）ディスプレイまたはプラズマディスプレイを用いて実現される。図２に示すように、第１表示部１６および第２表示部１７は撮像装置１の背面側に設けられており、第２表示部１７は撮像装置１の本体部に対して開閉自在な構成を有している。図２に示す使用時の状態で第１表示部１６と第２表示部１７は横に並んでいる。
【００１７】
第１表示部１６には、タッチパネル２０が重ねて設けられている。タッチパネル２０は、タッチパネル駆動回路２１によって駆動される。タッチパネル駆動回路２１は、タッチパネル２０上のタッチ位置を検出し、検出結果をカメラコントローラ７へ送信する。ユーザは、第１表示部１６上でピントを合わせたい被写体が表示されている位置を指またはスタイラスペン等によってタッチすることにより、焦点調整動作を行わせる領域を選択する。
【００１８】
以上の構成を有する撮像装置１は、通常の撮影モードおよび再生モードのほか、撮影モードの一種として、ユーザによって行われる撮影画像の確認動作（ピントの確認と良否判定を含む）を補助するための表示を行う確認モードを設定することができる。
【００１９】
図３は、撮像装置１の画像処理方法の処理の概要を示すフローチャートである。まず、電源スイッチ１３ａが操作されると（ステップＳ１：Ｙｅｓ）、カメラコントローラ７は初期動作設定を行い（ステップＳ２）、所定のフレームレートで画像データを取得し、取得した画像データを第１表示部１６でライブビュー表示する制御を行うとともに、カメラ動作モード、撮影条件（画素数、圧縮率）等を第２表示部１７で表示する制御を行う（ステップＳ３）。図４は、撮像装置１を起動した後の第１表示部１６および第２表示部１７における画像の表示例を示す図である。図４において、第１表示部１６では、カメラコントローラ７が取得した直後の画像データに含まれる画像であるスルー画像１０１が表示される一方、第２表示部１７では撮影条件表示画像１０２が表示されている。なお、電源スイッチが操作されない場合（ステップＳ１：Ｎｏ）、撮像装置１はステップＳ１を繰り返す。
【００２０】
この後、カメラ操作スイッチ１３が有する所定のスイッチを用いて確認モードが設定された場合（ステップＳ４：Ｙｅｓ）、カメラコントローラ７は、確認モードの動作を許可する（ステップＳ５）。これに対し、ステップＳ４において確認モードに設定されなかった場合（ステップＳ４：Ｎｏ）、撮像装置１は通常の撮影モードまたは再生モードに設定される。通常の撮影モードや再生モードでは、第１表示部１６のみを使用するようにしてもよいし、第１表示部１６における表示に加えて第２表示部１７で撮影条件（撮影モード設定時）や再生画像の情報（再生モード設定時）等を表示するようにしてもよい。
【００２１】
ステップＳ５に続いて、タッチパネル２０によって焦点調整領域の選択操作が行われた場合（ステップＳ６：Ｙｅｓ）、カメラコントローラ７はタッチパネル２０のタッチ位置を検出し、この検出したタッチ位置を基準として焦点調整領域を設定する（ステップＳ７）。一方、ステップＳ５に続いて、タッチパネル２０によって焦点調整領域の選択操作が行われなかった場合（ステップＳ６：Ｎｏ）、撮像装置１は後述するステップＳ８へ移行する。
【００２２】
ステップＳ７に続いてレリーズ操作が行われた場合（ステップＳ８：Ｙｅｓ）において、焦点調整領域が設定済みであるとき（ステップＳ９：Ｙｅｓ）、カメラコントローラ７は、設定された焦点調整領域に対応する画像データのコントラストが最大となるように光学系２の一部または全部のレンズの位置を設定するコントラスト方式の焦点調整動作を行う（ステップＳ１０）。この意味で、カメラコントローラ７は、焦点調整手段としての機能を有している。なお、ステップＳ８でレリーズ操作が行われない場合（ステップＳ８：Ｎｏ）、撮像装置１はステップＳ８を繰り返す。
【００２３】
これに対し、ステップＳ７に続いてレリーズ操作が行われた場合（ステップＳ８：Ｙｅｓ）において、焦点調整領域が設定済みではないとき（ステップＳ９：Ｎｏ）、カメラコントローラ７は、焦点調整を行う被写体を所定の画像認識手法によって検出し、この検出した被写体の近傍を焦点調整領域に設定し（ステップＳ１１）、ステップＳ１０へ移行する。例えば、被写体に人物が含まれる場合には、その人物の顔の近傍領域を焦点調整領域とする。カメラコントローラ７が被写体を検出する際には、従来より知られている様々な画像認識手法のいずれかを適用すればよい。
【００２４】
ステップＳ１０の後、カメラコントローラ７は、静止画像を取得する際の露出条件（レンズの絞り値、シャッタ秒時）を設定する（ステップＳ１２）。
【００２５】
その後、第１表示部１６および第２表示部１７をブラックアウト表示し（ステップＳ１３）、ステップＳ１２で設定された露光条件に基づいて撮像素子５の露光動作を行う（ステップＳ１４）。
【００２６】
露光動作が終了した後、カメラコントローラ７は画像データを取得し、取得した画像データをＪＰＥＧ（Joint Photographic Experts Group）等の所定の形式のファイルに変換した後、メモリカード８へ格納する（ステップＳ１５）。この意味で、メモリカード８は、記憶手段としての機能を有する。
【００２７】
その後、カメラコントローラ７は、第１表示部１６に撮影画像の全域を表示させる一方、第２表示部１７に所定の領域を拡大表示させる制御を行う（ステップＳ１６）。この意味で、カメラコントローラ７は、制御手段としての機能を有する。図５は、ステップＳ１６における第１表示部１６および第２表示部１７の画像の表示例を示す図である。図５において、第１表示部１６は撮影画像１０３を表示している。撮影画像１０３には、焦点調整領域Ｄ１および拡大領域Ｄ２が破線および実線によってそれぞれ表示されている。拡大領域Ｄ２は、焦点調整領域Ｄ１とこの焦点調整領域Ｄ１の周辺とを含む所定の大きさの領域として設定される。一方、第２表示部１７は、拡大領域Ｄ２を全画面表示した拡大画像１０４を表示している。なお、拡大領域Ｄ２の範囲は、撮像装置１が自動的に設定してもよいし、ユーザが設定するようにしてもよい。また、第１表示部１６で焦点調整領域Ｄ１や拡大領域Ｄ２を表示するか否かをユーザが設定できるようにしてもよい。
【００２８】
ステップＳ１６における表示を開始してから所定時間が経過した場合（ステップＳ１７：Ｙｅｓ）、第１表示部１６はライブビュー表示へ移行してスルー画像を表示する一方、第２表示部１７はその直前まで第１表示部１６が表示していた撮影画像を表示する（ステップＳ１８）。図６は、ステップＳ１８における第１表示部１６および第２表示部１７の画像の表示例を示す図である。図６において、第１表示部１６はスルー画像１０５を表示している。また、第２表示部１７は、撮影画像１０３と同じ撮影画像１０６を表示している。なお、撮影画像１０６には、焦点調整領域Ｄ１および拡大領域Ｄ２は表示されない。
【００２９】
ステップＳ１６における表示を開始してから所定時間経過していない場合（ステップＳ１７：Ｎｏ）において、カメラ操作スイッチ１３に含まれる所定のスイッチが操作されたとき（ステップＳ１９：Ｙｅｓ）、撮像装置１はステップＳ１８へ移行する。一方、所定の操作スイッチが操作されないとき（ステップＳ１９：Ｎｏ）、撮像装置１はステップＳ１７を繰り返す。
【００３０】
ステップＳ１８の後、電源スイッチ１３ａによって電源がオフされた場合（ステップＳ２０：Ｙｅｓ）、撮像装置１は一連の処理を終了する。
【００３１】
ステップＳ１８の後、電源スイッチ１３ａによって電源がオフされない場合（ステップＳ２０：Ｎｏ）において、モード切替信号が入力されたとき（ステップＳ２１：Ｙｅｓ）、撮像装置１は他のモードへ移行する。一方、電源スイッチ１３ａによって電源がオフされない場合（ステップＳ２０：Ｎｏ）において、モード切替信号が入力されないとき（ステップＳ２１：Ｎｏ）、撮像装置１はステップＳ６へ戻る。
【００３２】
以上説明した本発明の一実施の形態によれば、第１表示部１６および第２表示部１７を備え、第１表示部１６に撮影画像の全域を表示させ、第２表示部１７に焦点調整動作を行った位置とこの位置の周辺とを含む領域を拡大した拡大画像を表示させるため、撮影画像と拡大画像とを見比べることができる。したがって、撮影画像のピント確認および良否判定を容易にかつ的確に行うことが可能となる。
【００３３】
また、本実施の形態によれば、第１表示部１６では撮影画像を表示させて所定時間経過した後にライブビュー表示へ移行する一方、第２表示部１７では拡大画像を表示させて所定時間経過した後に撮影画像の全域表示へ移行するため、ユーザは次の画像を撮影する際、一つ前に撮影した画像を参考にすることができる。
【００３４】
また、本実施の形態によれば、第１表示部１６に撮影画像を表示させるとともに第２表示部１７に拡大画像を表示させた状態で所定時間経過する前に撮像装置１に対する所定の操作を検出した場合、第１表示部１６をライブビュー表示とする一方、第２表示部１７で撮影画像の全域を表示するため、ユーザは適当なタイミングで次の撮影動作へ移行することができる。
【符号の説明】
【００３５】
１  撮像装置
２  光学系
３  レンズ駆動機構
４  レンズ駆動回路
５  撮像素子
６  撮像素子ＩＦ回路
７  カメラコントローラ
８  メモリカード
１１  ＵＳＢポート
１２  ＵＳＢデバイスコントローラ
１３  カメラ操作スイッチ
１３ａ  電源スイッチ
１３ｂ  レリーズボタン
１４  バッテリー
１５  電源回路
１６  第１表示部
１７  第２表示部
１８  第１表示回路
１９  第２表示回路
２０  タッチパネル
２１  タッチパネル駆動回路
１０１、１０５  スルー画像
１０２  撮影条件表示画像
１０３、１０６  撮影画像
１０４  拡大画像
Ｄ１  焦点調整領域
Ｄ２  拡大領域
【図１】
2010258904.tif 000003
【図２】
2010258904.tif 000004
【図３】
2010258904.tif 000005
【図４】
2010258904.tif 000006
【図５】
2010258904.tif 000007
【図６】
2010258904.tif 000008